(57)【要約】【課題】省電力の具体的な指標を与えることができ、その省電力指標を満たすようにエレベータの稼動台数を制限することで、ビル管理者が把握しやすい省電力化を実現する。【解決手段】目標電量設定装置１１を通じて指定期間中における消費電力の目標値を設定する。群管理制御装置１２に設けられた消費電量統計部２１は、予め定められた時間帯毎に各エレベータが消費する電力量および平均待ち時間を統計的に記録する。稼働台数制御部２３は、目標電量設定装置１１にて設定された消費電力量の目標値と消費電量統計部２１によって得られた時間帯毎の消費電力量および平均待ち時間とに基づいて目標値を達成するようにエレベータの稼働台数を時間帯毎に計画する。群管理制御部２４は、稼働台数制御部２３によって計画された時間帯毎の稼働台数に基づいて、乗場呼びに対する各エレベータの運転を制御する。【選択図】      図１
2010070380.tif 000002
【特許請求の範囲】
【請求項１】
複数台のエレベータを群管理制御するエレベータの群管理システムにおいて、
指定期間中における消費電力量の目標値を設定する目標電量設定手段と、
予め定められた時間帯毎に上記各エレベータが消費する電力量および平均待ち時間を統計的に記録する消費電量統計手段と、
上記目標電量設定手段によって設定された消費電力量の目標値と上記消費電量統計手段によって得られた時間帯毎の消費電力量および平均待ち時間とに基づいて、上記目標値を達成するようにエレベータの稼働台数を時間帯毎に計画する稼働台数制御手段と、
この稼働台数制御手段によって計画された時間帯毎の稼働台数に基づいて、乗場呼びに対する上記各エレベータの運転を制御する群管理制御手段と
を具備したことを特徴とするエレベータの群管理制御システム。
【請求項２】
上記目標電量設定手段は、目標値として消費電力量と平均待ち時間を優先度を付けて設定でき、
上記稼働台数制御手段は、上記目標電量設定手段によって平均待ち時間の優先度が高く設定された場合に、その平均待ち時間を達成できるようにエレベータの稼働台数を時間帯毎に計画することを特徴とする請求項１記載のエレベータの群管理制御システム。
【請求項３】
上記目標電量設定手段は、稼動台数制限を実施しない時間帯を任意に設定でき、
上記稼働台数制御手段は、上記目標電量設定手段によって設定された時間帯を外してエレベータの稼働台数を計画することを特徴とする請求項１または２記載のエレベータの群管理制御システム。
【請求項４】
上記稼働台数制御手段は、指定期間中に計画した消費電力量と実際の消費電力量を比較し、計画した消費電力量が実際の消費電力量よりも少なかった場合に、稼働台数の制限を緩和するように再計画を行うことを特徴とする請求項１記載のエレベータの群管理制御システム。
【請求項５】
上記稼働台数制御手段は、指定期間中に計画した消費電力量と実際の消費電力量を比較し、計画した消費電力量が実際の消費電力量よりも多かった場合に、稼働台数の制限を稼働台数の制限を強化するように再計画を行うことを特徴とする請求項１記載のエレベータの群管理制御システム。
【請求項６】
上記目標電量設定手段によって設定された消費電力量の目標値を達成できない場合に、目標達成が不可能である旨を表示する表示手段を具備したことを特徴とする請求項１記載のエレベータの群管理制御システム。
【請求項７】
上記指定期間の経過後に実際に上記各エレベータで消費される電力量を実績値として表示する表示手段を具備したことを特徴とする請求項１記載のエレベータの群管理制御システム。
【請求項８】
上記稼働台数制御手段によって計画された稼働台数に基づいて、各階の乗場にて上記指定期間中のエレベータの稼動状況を表示する表示手段を具備したことを特徴とする請求項１記載のエレベータの群管理制御システム。
【発明の詳細な説明】
【技術分野】
【０００１】
本発明は、複数台のエレベータを群管理制御するエレベータの群管理制御システムに係り、特に、エレベータの稼動台数を制御することで省電力を図るエレベ一タの群管理制御システムに関する。
【背景技術】
【０００２】
オフィス等のビルでは、複数台のエレベータが設置されており、ある階で乗場呼びが登録されると、その中の最適なエレベータが選出されて、その乗場呼びが登録された階に応答する。この場合、他のエレベータは呼び待ちで停止していることもあるが、その間、常に稼働状態にあるため、電力を消費していることになる。エレベータの稼働台数が増えれば、その分、電力消費量は非常に高くなるため、その対策が求められる。
【０００３】
従来、エレベータ全体の消費電力量を削減する方法として、平均待ち時間や消費電力の目標値（パーセント）を指標とした制御パラメータを群管理の割当評価式に取り入れ、上記指標に合わせて各エレベータの起動回数を制御するといった方法がある（例えば、特許文献１参照）。
【特許文献１】特開平６−１５６８９３号公報
【発明の開示】
【発明が解決しようとする課題】
【０００４】
しかしながら、上述したような方法において、平均待ち時間を指標として群管理制御を行った場合に、実際、どの程度の省電力効果が得られているのか具体的に分からないといった問題がある。また、消費電力の目標値を指標とした場合でも、例えば現状の８０％の電力で動作させるといった指標であるため、その目標値（パーセント）が曖昧で省電力効果を把握しづらい。
【０００５】
本発明は上記のような点に鑑みなされたもので、省電力の具体的な指標を与えることができ、その省電力指標を満たすようにエレベータの稼動台数を制限することで、ビル管理者が把握しやすい省電力化を実現することのできるエレベータの群管理制御システムを提供することを目的とする。
【課題を解決するための手段】
【０００６】
本発明の請求項１に係るエレベータの群管理システムは、複数台のエレベータを群管理制御するエレベータの群管理システムにおいて、指定期間中における消費電力量の目標値を設定する目標電量設定手段と、予め定められた時間帯毎に上記各エレベータが消費する電力量および平均待ち時間を統計的に記録する消費電量統計手段と、上記目標電量設定手段によって設定された消費電力量の目標値と上記消費電量統計手段によって得られた時間帯毎の消費電力量および平均待ち時間とに基づいて、上記目標値を達成するようにエレベータの稼働台数を時間帯毎に計画する稼働台数制御手段と、この稼働台数制御手段によって計画された時間帯毎の稼働台数に基づいて、乗場呼びに対する上記各エレベータの運転を制御する群管理制御手段とを具備したことを特徴とする。
【０００７】
このような構成によれば、指定期間中における消費電力量の目標値を設定することで、その目標値を達成するようにエレベータの稼働台数が時間帯毎に計画され、その計画に従って各エレベータが運転制御される。これにより、消費電力量の目標値と稼働台数との関係から省電力の効果を容易に把握できるようになる。
【０００８】
また、本発明の請求項２は、上記請求項１記載のエレベータの群管理制御システムにおいて、上記目標電量設定手段は、目標値として消費電力量と平均待ち時間を優先度を付けて設定でき、上記稼働台数制御手段は、上記目標電量設定手段によって平均待ち時間の優先度が高く設定された場合に、その平均待ち時間を達成できるようにエレベータの稼働台数を時間帯毎に計画することを特徴とする。
【０００９】
このような構成によれば、群管理能力である平均待ち時間を優先した稼働台数の制御により、消費電力を抑えることができる。
【００１０】
また、本発明の請求項３は、上記請求項１または２記載のエレベータの群管理制御システムにおいて、上記目標電量設定手段は、稼動台数制限を実施しない時間帯を任意に設定でき、上記稼働台数制御手段は、上記目標電量設定手段によって設定された時間帯を外してエレベータの稼働台数を計画することを特徴とする。
【００１１】
このような構成によれば、出勤時時間帯や昼食時時間帯など、需要の高い時間帯については予め稼働台数の制限を禁止することができる。
【００１２】
また、本発明の請求項４は、上記請求項１記載のエレベータの群管理制御システムにおいて、上記稼働台数制御手段は、指定期間中に計画した消費電力量と実際の消費電力量を比較し、計画した消費電力量が実際の消費電力量よりも少なかった場合に、稼働台数の制限を緩和するように再計画を行うことを特徴とする。
【００１３】
このような構成によれば、計画した消費電力量が実際の消費電力量よりも少なかった場合に、残りの期間中に目標値を満たすように稼働台数の計画が見直される。
【００１４】
また、本発明の請求項５は、上記請求項１記載のエレベータの群管理制御システムにおいて、上記稼働台数制御手段は、指定期間中に計画した消費電力量と実際の消費電力量を比較し、計画した消費電力量が実際の消費電力量よりも多かった場合に、稼働台数の制限を稼働台数の制限を強化するように再計画を行うことを特徴とする。
【００１５】
このような構成によれば、計画した消費電力量が実際の消費電力量よりも多かった場合に、残りの期間中に目標値を満たすように稼働台数の計画が見直される。
【００１６】
また、本発明の請求項６は、上記請求項１記載のエレベータの群管理制御システムにおいて、上記目標電量設定手段によって設定された消費電力量の目標値を達成できない場合に、目標達成が不可能である旨を表示する表示手段を具備したことを特徴とする。
【００１７】
このような構成によれば、消費電力量の目標値を達成できない場合に、目標達成が不可能である旨を表することで、ビル管理者に再設定を促すことができる。
【００１８】
また、本発明の請求項７は、上記請求項１記載のエレベータの群管理制御システムにおいて、上記指定期間の経過後に実際に上記各エレベータで消費される電力量を実績値として表示する表示手段を具備したことを特徴とする。
【００１９】
このような構成によれば、実際の消費電力量を実績値として表示することで、ビル管理者は目標設定に対する効果を具体的な数値で知ることができる。
【００２０】
また、本発明の請求項８は、上記請求項１記載のエレベータの群管理制御システムにおいて、上記稼働台数制御手段によって計画された稼働台数に基づいて、各階の乗場にて上記指定期間中のエレベータの稼動状況を表示する表示手段を具備したことを特徴とする。
【００２１】
このような構成によれば、稼働台数の制限がなされている場合でも、エレベータ利用者は現状を把握して混乱せずにエレベータを利用することができる。
【発明の効果】
【００２２】
本発明によれば、省電力の具体的な指標を与えることができ、その省電力指標を満たすようにエレベータの稼動台数を制限することで、ビル管理者が把握しやすい省電力化を実現することができる。
【発明を実施するための最良の形態】
【００２３】
以下、図面を参照して本発明の実施形態を説明する。
【００２４】
（第１の実施形態）
図１は本発明の第１の実施形態に係るエレベータの群管理制御システムの構成を示すブロック図である。
【００２５】
本実施形態におけるエレベータの群管理制御システムは、目標電量設定装置１１、群管理制御装置１２、消費電量計測装置１３、単体制御装置１４ａ，１４ｂ，１４ｃ…、乗りかご１５ａ，１５ｂ，１５ｃ…、乗場呼び釦１６ａ，１６ｂ…、稼働台数表示装置１７ａ，１７ｂ…を備える。
【００２６】
目標電量設定装置１１は、ビル監視室やエレベータ機械室に設置され、群管理制御装置１２に接続されている。この目標電量設定装置１１は、例えばパーソナルコンピュータ等からなり、ビル管理者（保守員を含む）が省電力化に関する種々の目標値（消費電力量、省電力期間）をキーボードやマウス等で任意に設定できるものである。
【００２７】
群管理制御装置１２は、複数台のエレベータ（乗りかご１５ａ，１５ｂ，１５ｃ…）を群管理制御するものである。この群管理制御装置１２には、消費電量統計部２１、テーブル記憶部２２、稼働台数制御部２３、群管理制御部２４が設けられている。
【００２８】
消費電量統計部２１は、群管理制御部２４および消費電量計測装置１３から出力される情報に基づいて、予め定められた時間帯毎に稼働台数、平均待ち時間、消費電力量の統計データをテーブル記憶部２２に記録する。
【００２９】
テーブル記憶部２２には、第１のテーブル２２ａと第２のテーブル２２ｂが設けられている。第１のテーブル２２ａには、図２に示すように、消費電量統計部２１によって得られた時間帯毎の稼働台数と平均待ち時間のデータが記録される。第２のテーブル２２ｂには、図３に示すように、消費電量統計部２１によって得られた時間帯毎の稼働台数と消費電力量のデータが記録される。
【００３０】
稼働台数制御部２３は、目標電量設定装置１１にて設定された消費電力量の目標値および省電力期間に基づいて、目標値を達成するように時間帯毎のエレベータ稼動台数を計画し、その計画に沿って稼動台数を制限するための指令を群管理制御部２４へ出力する。この稼働台数制御部２３によって計画された各時間帯毎のエレベータ稼動台数に関する情報は、単体制御装置１４ａ，１４ｂ，１４ｃ…を介して各階の乗場に設置された稼働台数表示装置１７ａ，１７ｂ…へ出力される。
【００３１】
群管理制御部２４は、乗場呼びに対し、乗りかご１５ａ，１５ｂ，１５ｃ…の中から最適なかごを選択し、単体制御装置１４ａ，１４ｂ，１４ｃ…の当該乗りかごに対応した単体制御装置に対して割り当て指令を出力する。さらに、この群管理制御部２４は、過去一定周期毎に平均待ち時間を測定しており、この平均待ち時間情報を稼働台数情報と共に消費電量統計部２１へ出力する。
【００３２】
一方、消費電量計測装置１３は、電源ライン上に設置されている。この消費電量計測装置１３は、各エレベータが一定周期毎に消費するシステム全体の電力量を計測し、その計測した電力量を消費電量統計部２１へ出力している。
【００３３】
単体制御装置１４ａ，１４ｂ，１４ｃ…は、乗りかご１５ａ，１５ｂ，１５ｃ…に対応して設けられており、それぞれに管理下にある乗りかご１５ａ，１５ｂ，１５ｃ…の運転を制御する、この単体制御装置１４ａ，１４ｂ，１４ｃ…には、かご制御部２５ａ，２５ｂ，２５ｃ…が設けられている。このかご制御部２５ａ，２５ｂ，２５ｃ…は、かごドアの開閉制御やかご呼びの登録制御などを行う。乗りかご１５ａ，１５ｂ，１５ｃ…は、乗場呼びあるいはかご呼びに応答して、昇降路内を昇降動作する。
【００３４】
なお、「乗場呼び」とは、各階の乗場に設置された乗場呼び釦１６ａ，１６ｂ…の操作によって登録される呼びのことであり、登録階と行先方向の情報が含まれる。この乗場呼びの信号は群管理制御部２４に与えられ、群管理制御部２４では、現在の運転状況から最適な乗りかごを選出して、その乗場呼びが登録された階に応答させる。
【００３５】
これに対し、「かご呼び」とは、乗りかご１５ａ，１５ｂ，１５ｃ…のそれぞれのかご室内に設けられた行先階釦２６ａ，２６，２６ｃ…の操作によって登録される呼びのことであり、行先階の情報が含まれる。このかご呼びの信号は、それぞれに対応した単体制御装置１４ａ，１４ｂ，１４ｃ…に与えられる。例えば、単体制御装置１４ａにかご呼びの信号が与えられたとすると、単体制御装置１４ａでは、行先階釦２６ａの操作によって指定された行先階に乗りかご１５ａを移動させる。
【００３６】
このような構成のエレベータの群管理制御システムにおいて、まず、消費電量統計部２１において１日に消費する電力量および稼働台数、平均待ち時間を統計的に記録する方法について説明する。
【００３７】
かご制御部２５ａ，２５ｂ，２５ｃ…は、かご位置やかご室内にて登録されたかご呼びの情報、各階の乗場で登録された乗場呼びの情報を定期的（例えば１００ｍｓｅｃ周期）に群管理制御部２４に出力している。群管理制御部２４では、これらの情報を基にして全ての乗場呼びに対する待ち時間を算出する。「待ち時間」とは、乗場呼びが登録されから、その登録階に乗りかごが応答して着床するまでの時間のことである。
【００３８】
また、群管理制御部２４は、一定時間毎（本実施形態では５分間隔毎とする）の平均待ち時間を算出し、その平均待ち時間を現在のエレベータ稼動台数の情報と共に消費電量統計部２１へ出力する。つまり、群管理制御部２４では、過去５分間の平均待ち時間とその間の稼働台数情報を定期的に出力している。
【００３９】
消費電量計測装置１３は、各エレベータが消費するシステム全体の消費電力量を計測し、その一定時間毎（本実施形態では５分間隔毎とする）に消費した電力量を消費電量統計部２１へ出力する。つまり、消費電量計測装置１３では、過去５分間の消費電力量を定期的に出力している。
【００４０】
消費電量統計部２１は、群管理制御部２４から５分間隔毎に出力される平均待ち時間とその間の稼働台数情報を基にして、式（１）で示されるような計算式にて一定時間毎（本実施形態では１時間毎とする）の平均待ち時間を算出して、第１のテーブル２２ａに記録する。
【００４１】
Ｄn,i,new＝（１−τ）Ｄn,i,pre＋τΣＤn,now／α  …（１）
上記式（１）において、ｎは稼働台数である。ｉは学習時間帯インデックスであり、１日を一定時間間隔、つまり１時間間隔の時間帯に分割した最初の時間帯から１、２、…と割り当てたものである。
【００４２】
また、Ｄnowは現在の平均待ち時間（群管理制御部２４から出力される現在から過去５分の平均待ち時間）であり、ｉ番目の時間帯における平均値が群管理制御部２４から出力されている平均待ち時間データの受信回数αからＤn,now／αと算出できる。つまり、群管理制御部２４から５分間隔で平均待ち時間の情報が出力されており、１時間間隔である時間帯１つ分の受信回数αは１２回であることから、ｉ番目の時間帯における平均値は、この受信回数１２回分の平均値となる。
【００４３】
また、Ｄi,newはｉ番目の時間帯の平均待ち時間であり、時間間隔毎に更新されるものである。Ｄi,preは前回記録した平均待ち時間である。つまり、Ｄn,i,newはｉ番目の時間帯の現在の平均待ち時間の平均値Ｄn,now／αにある一定の反映割合τを乗じて、前回平均待ち時間i,preに反映させることで得られる。
【００４４】
このように、消費電量統計部２１では、過去の平均待ち時間を考慮しつつ、現在の平均待ち時間を反映させることで、突発的な需要の変化に大きく影響されずに、過去の平均待ち時間を統計的に記録している。
【００４５】
なお、この平均待ち時間のデータは、稼働台数ｎの値に応じて稼働台数毎に記録される。後述するように、稼働台数は時間帯毎に稼働台数制御部２３によって制御され、例えば稼動台数が６台であった場合と５台であった場合に、平均待ち時間を図２に示すように別々に記録するものとする。以下では、全台数を６台として説明を行う。
【００４６】
また、消費電量統計部２１は、上述した平均待ち時間の記録と共に、時間帯毎、稼働台数毎に消費する電力量の平均値を式（２）のような計算式にて算出して、第２のテーブル２２ｂに記録する。
【００４７】
Ｅn,i,new＝（１−σ）Ｅn,i,pre＋σΣＥn,now／β    …（２）
上記式（２）において、ｎは稼働台数である。Ｅn,nowは現在の消費電力量（消費電量計測装置１３から出力される現在から過去５分間の消費電力量）であり、ｉ番目の時間帯における平均値は消費電量計測装置１３からの受信回数βからΣＥn,now／βと算出できる。
【００４８】
また、Ｅn,i,newは消費電量統計部２１で記録を行うｉ番目の時間帯における最新の消費電力量、Ｅn,i,preは前回記録した消費亀力量である。つまり、Ｅn,i,newは、ｉ番目の時間帯における消費電力量の平均値ΣＥn,now／βにある一定の反映割合σを乗じて前回消費電力量ΣＥn,hi,preに反映させることで得られる。
【００４９】
これにより、稼動台数毎あるいは需要レベル毎に５分間における消費電力量が統計的に算出される。なお、消費電力量のデータについても、平均待ち時間のデータと同様に稼働台数ｎの値に応じて稼働台数毎に記録される。消費電力量を記録した第２のテーブル２２ｂとしては、図３のようになる。なお、図３の例では、第２のテーブル２２ｂに、各時間帯の消費電力量と共に、図２に示したテーブル２２ａから得られる平均待ち時間が記録されている。
【００５０】
消費電量統計部２１に算出された１日の時間帯毎、稼動台数毎の平均待ち時間および消費電力量のデータは、将来におけるある１日において、どの程度の需要があり、何台で稼動した場合はどのくらいの電力量が必要になるかを推測するために有効なデータとなる。稼働台数制御部２３では、これらデータを用いてエレベータの稼働台数の計画を行うこととなる。
【００５１】
なお、エレベータ納品時など、エレベータが十分に稼動していない状況では、上述した記録テーブルにデータが収集できていない。このため、モータ容量やエレベータの乗りかごの大きさ等から割り出した消費電力量に関わる情報を予め記録テーブルにデフォルト値として設定しておくことで、稼動初期時において、このデフォルト値を使用してエレベータの稼働台数を計画することを可能としている。
【００５２】
次に、ビル管理者が目標電量設定装置１１を用いて目標値を設定する方法について、図４を用いて説明する。
【００５３】
図４は第１の実施形態における目標電量設定装置１１の画面構成の一例を示す図である。この目標電量設定装置１１に表示される設定画面５０は、目標値を設定するための設定項目５１と、現在の消費電力量を表示するための表示項目５２と、実績値を確認するための確認項目５３とを有する。
【００５４】
設定項目５１では、目標値として、省電力を実施する期間およびその期間中に消費を許可する使用許可電力量を具体的に設定できる。なお、入力手段としては、例えばキーボード、マウス、タッチパネルあるいはスイッチなどを用いるが、特にこれらに限定されるものではない。
【００５５】
表示項目５２には、稼働台数制御部２３を介して消費電量統計部２１から得られた現在の１日の消費電力量が表示される。ビル管理者は、この表示項目５２に表示された情報を参考にして、上記設定項目５１に使用許可電力量（つまり、消費電力量の目標値）を設定することができる。
【００５６】
確認項目５３には、上記設定項目５１に設定された実施期間中に省電力化を行った結果としての消費電力量が実績値として表示される。ビル管理者は、この表示項目５２に表示された情報を見て、省電力の効果を具体的な数値で知ることができる。
【００５７】
次に、稼働台数制御部２３による稼働台数の計画方法について説明する。
【００５８】
稼働台数制御部２３は、消費電量統計部２１から得られる１日の平均待ち時間／消費電力量の統計データおよび目標電量設定装置１１から得られる省電力期間／使用許可電力量から、目標とする消費電力量を達成できるように消費電量統計部２１によって設定された時間帯毎にエレベータの稼働台数を計画する。
【００５９】
ここで、図５を用いて稼働台数制御部２３の処理動作について詳しく説明する。  
図５は第１の実施形態における群管理制御装置１２の稼働台数制御部２３による稼働台数の計画処理を示すフローチャートである。
【００６０】
まず、稼働台数制御部２３は、目標電量設定装置１１にて設定された省電力実施期間および使用許可電力量に基づいて、１日当たりの使用許可電力量（Ｑ１とする）を算出する（ステップＳ１１）。
【００６１】
次に、稼働台数制御部２３は、消費電量統計部２１によって第２のテーブル２２ｂに記録された消費電力量から１日の全時間帯を全台（６台）で稼動させた場合の消費電力量（Ｑ２とする）を算出する（ステップＳ１２）。
【００６２】
そして、稼働台数制御部２３は、上記ステップＳ１１で算出された使用許可電力量Ｑ１と上記ステップＳ１２で算出された消費電力量Ｑ２とを比較する（ステップＳ１３）。その結果、使用許可電力量Ｑ１が消費電力量Ｑ２以上であれば（ステップＳ１３のＹｅｓ）、稼働台数制御部２３は、全時間帯を全台（６台）稼動させたとしても、目標電量設定装置１１に設定された使用許可電力量（目標値）を達成できるものと判断して、稼働台数の制限を実施しない。
【００６３】
一方、使用許可電力量Ｑ１が消費電力量Ｑ２よりも低い場合には（ステップＳ１３のＮｏ）、稼働台数制御部２３は、第１のテーブル２２ａから全台で稼動させた場合で最も平均待ち時間が良好である時間帯をサーチする（ステップＳ１４）。
【００６４】
そして、稼働台数制御部２３は、最も良好であった時間帯について稼動台数を１台減らした場合の１日当たりの消費電力量Ｑ２を再度計算し（ステップＳ１５）、使用許可電力量Ｑ１と比較する（ステップＳ１６）。その結果、使用許可電力量Ｑ１よりも消費電力量Ｑ２の方が大きければ（ステップＳ１６のＮｏ）、稼働台数制御部２３は、上記同様にして、第１のテーブル２２ａから平均待ち時間が最も良好な時間帯をサーチし（ステップＳ１９→Ｓ１４）、その時間帯の稼動台数を減らした場合で消費電力量Ｑ２を再計算する（ステップＳ１５）。この場合、前回サーチしたときの稼働台数よりも１台減らしたデータがサーチ対象となる。
【００６５】
このようにして、消費電力量Ｑ２が使用許可電力量Ｑ１以下となるまで、稼動台数を１台ずつ減らしていく。全時間帯について稼動台数を１台としても消費電力量Ｑ２が使用許可電力量Ｑ１以下とならない場合には（ステップＳ１９のＹｅｓ）、稼働台数制御部２３は、目標電量設定装置１１に設定された使用許可電力量が無効である旨の情報を出力する（ステップＳ２０）。これにより、目標電量設定装置１１では、設定値が無効であることを確認項目５３に表示して、ビル管理者に再設定を促す。
【００６６】
また、稼動台数を減らしたことで、消費電力量Ｑ２が使用許可電力量Ｑ１以下となった場合には（ステップＳ１６のＹｅｓ）、稼働台数制御部２３は、その稼働台数を各時間帯の稼働台数として計画する（ステップＳ１７）。そして、実際に省電力実施期間となったときに、稼働台数制御部２３は上記計画した各時間帯の稼動台数で群管理制御を行うように群管理制御部２４に対して稼働台数の制限指令を出力する（ステップＳ１８）。
【００６７】
このようにして、目標電量設定装置１１にて設定された使用許可電力量を満たすように各時間帯におけるエレベータの稼動台数が計画される。
【００６８】
稼働台数制御部２３では、省電力実施期間中に上記計画された稼働台数でエレベータを稼動させた場合に、実際にどれくらいの電力量が消費されたかを記録しており、省電力実施期間が終了した時点で、その消費電力量を目標電量設定装置１１へ出力する。
【００６９】
標電量設定装置１１では、図４に示した設定画面５０の確認項目５３に、省電力実施期間中での消費電力量を実績値として表示する。これにより、ビル管理者は目標値として設定した使用許可電力量を実現できたかどうかを具体的な数値で確認することが可能となる。
【００７０】
また、各階の乗場に設置された稼働台数表示装置１７ａ，１７ｂ…では、稼働台数制御部２３から上記計画された時間帯毎の稼働台数を取得して、所定の形式で表示する。ある階の乗場に設置された稼働台数表示装置１７ａを代表として、図６にその表示例を示す。この例では、０時の時間帯に２台、１時の時間帯に２台、２時の時間帯に２台…、２２時の時間帯に３台、２３時の時間帯に３台、２４時の時間帯に２台のエレベータが稼働している状況が表示されている。このような表示により、エレベータ利用者は各階の乗場にてエレベータの稼動状況を把握することができ、時間帯に応じて稼働台数が変わっていても、迷わずにエレベータを利用することができる。
【００７１】
なお、図６の例では、時間帯毎のエレベータの稼働台数を表示するものとしたが、例えば図７のように、稼働状態にあるエレベータの号機を時間帯毎に確認可能な形態で表示することでも良い。この例では、０時〜６時までの時間帯にＡ号機とＢ号機の２台、０時〜６時までの時間帯にＡ号機、Ｂ号機、Ｃ号機、Ｄ号機、Ｅ号機の５台がエレベータが稼働している状況が表示されている。このような表示により、稼働台数だけでなく、どの号機が稼働しているのか具体的に知ることができる。
【００７２】
また、目標電量設定装置１１において、上述した稼働台数制限による省電力を実施しない時間帯を任意に設定できるようにしても良い。例えば、出勤時時間帯や昼食時時間帯など、需要の高い時間帯については予め稼働台数の制限を禁止する。この場合、稼働台数制御部２３では、その禁止された時間帯を稼働台数の制限対象から外して稼動台数の計画を行うことになる。
【００７３】
また、上記実施形態では、稼働台数の計画を１日単位で実施したが、第２のテーブル２２ｂを曜日単位で記録することで、曜日毎に変わる需要の変化を考慮した計画を立てることが可能となる。
【００７４】
（第２の実施形態）
次に、本発明の第２の実施形態について説明する。
【００７５】
基本的な構成は、上記第１の実施形態の図１と同様である。第２の実施形態では、目標電量設定装置１１にて設定可能な項目が異なる。すなわち、図８に示すように、設定画面５０に設けられた設定項目５１には、目標値として省電力を実施する期間およびその期間中に消費を許可する使用許可電力量に加え、平均待ち時間の制限値と、使用許可電力量と平均待ち時間の制限値のどちらを優先して省電力化を図るのかを任意に設定できるように構成されている。
【００７６】
また、設定画面５０に設けられた表示項目５２において、稼働台数制御部２３を介して消費電量統計部２１から取得した現在の１日の消費電力量および消費電量統計部２１によって記録された時間帯毎の平均待ち時間が表示される。これにより、ビル管理者はこれらの情報を参考にして使用許可電力量あるいは平均待ち時間の制限値を設定することができる。
【００７７】
稼働台数制御部２３は、消費電量統計部２１から得られる１日の平均待ち時間／消費電力量の統計データおよび目標電量設定装置１１から得られる省電力期間／使用許可電力量あるいは平均待ち時間の制限値から、目標とする消費電力量を達成できるように消費電量統計部２１によって設定された時間帯毎にエレベータの稼働台数を計画する。
【００７８】
ここで、図９を用いて稼働台数制御部２３の処理動作について詳しく説明する。  
図９は本発明の第２の実施形態における群管理制御装置１２の稼働台数制御部２３による稼働台数の計画処理を示すフローチャートである。
【００７９】
まず、稼働台数制御部２３は、目標電量設定装置１１にて設定された使用許可電力量と平均待ち時間の制限値の優先度チェックを行う（ステップＳ２１）。平均待ち時間の制限値よりも使用許可電力量の優先度が高かった場合には（ステップＳ２１のＮｏ）、稼働台数制御部２３は、上記第１の実施形態と同様の処理、すなわち、図３に示される処理を実施することになる（ステップＳ２２）。
【００８０】
一方、平均待ち時間の制限値の優先度が高かった場合には（ステップＳ２１のＹｅｓ）、稼働台数制御部２３は、消費電量統計部２１によって第１のテーブル２２ａに記録された平均待ち時間のデータから全台で稼動させた場合の各時間帯の平均待ち時間と制限値を比較する（ステップＳ２４）。
【００８１】
その結果、全時間帯において、平均待ち時間≧平均待ち時間の制限値であった場合（ステップＳ２４のＹｅｓ）、稼働台数制御部２３は、平均待ち時間の制限値を満たすことが不可能であるとし、目標電量設定装置１１に設定された平均待ち時間の制限値が無効である旨の情報を出力する（ステップＳ２７）。これにより、これにより、目標電量設定装置１１では、設定値が無効であることを確認項目５３に表示して、ビル管理者に再設定を促す。
【００８２】
また、全時間帯において、平均待ち時間＜平均待ち時間の制限値であった場合（ステップＳ２４のＮｏ）、稼働台数制御部２３は、消費電量統計部２１によって第１のテーブル２２ａに記録されている平均待ち時間のデータから各時間帯において平均待ち時間≦平均待ち時間の制限値を満たす最小稼働台数を各時間帯の稼働台数として計画する（ステップＳ２５）。そして、実際に省電力実施期間となったときに、稼働台数制御部２３は上記計画した各時間帯の稼動台数で群管理制御を行うように群管理制御部２４に対して稼働台数の制限指令を出力する（ステップＳ２６）。
【００８３】
このようにして、目標電量設定装置１１にて設定された平均待ち時間の制限値を満たすよう各時間帯におけるエレベータの稼動台数が計画される。
【００８４】
稼働台数制御部２３では、省電力実施期間中に上記計画された稼働台数に基づいてエレベータを稼動させた場合に、実際の消費電力量および各時間帯における平均待ち時間を記録しており、省電力実施期間が終了した時点で、その消費電力量および平均待ち時間を目標電量設定装置１１へ出力する。
【００８５】
目標電量設定装置１１では、図４に示した設定画面５０の確認項目５３に、この省電力実施期間中での消費電力量および平均待ち時間を実績値として表示する。これにより、ビル管理者は目標値として設定した平均待ち時間の制限値をどのように満たしつつ、消費電力量がどの程度であったかを具体的な数値で確認することが可能となる。
【００８６】
（第３の実施形態）
次に、本発明の第３の実施形態について説明する。
【００８７】
第３の実施形態では、省電力実施期間中において、計画していた消費電力量が実際の消費電力量と一定量以上の差があった場合に、残りの期間中に稼働台数を再計画して実施するようにしたものである。
【００８８】
なお、基本的な構成は第１の実施形態と同じであり、図１に示される構成となる。第３の実施形態における稼働台数制御部２３では、省電力実施期間において実際の消費電力量が計画と異なっていた場合、残りの省電力実施期間で使用許可電力量を満たすように稼働台数の計画を見直すことができる。
【００８９】
ここで、図１０を用いて稼働台数制御部２３において稼働台数の計画を見直す際の処理の流れについて説明する。
【００９０】
図１０は本発明の第３の実施形態における群管理制御装置１２の稼働台数制御部２３の処理動作を示すフローチャートである。なお、ここでは、上記第１の実施形態において省電力実施期間および使用電力量が設定されており、既にエレベータの稼動台数が稼働台数制御部２３で計画済みであり、かつ、省電力実施期間となっていることを前提条件とする。
【００９１】
稼働台数制御部２３では、上記第１の実施形態で説明したように、時間帯毎に稼動台数および消費電力量を計画しており、また、省電力実施期間中においては実際の消費電力量を記録している。
【００９２】
ここで、省電力実施期間中において、稼働台数制御部２３は、時間帯１区分経過毎に既に計画した消費電力量（Ｑ３とする）と実際の消費電力量（Ｑ４とする）との比較を行う（ステップＳ３１）。その結果、計画した消費電力量Ｑ３と実際の消費電力量Ｑ４との差が一定量以上あった場合に（ステップＳ３１のＹｅｓ）、稼働台数制御部２３は、現在設定されている使用許可電力量と実際の消費電力量との差（使用許可電力量−実際の消費電力量）を求め、その両者の差を新たな使用許可電力量として再設定する（ステップＳ３２）。
【００９３】
そして、残りの省電力実施期間中において、稼働台数制御部２３は、上記再設定された使用許可電力量に基づいて、上記第１の実施形態と同様にして稼働台数を再計画する（ステップＳ３３）。
【００９４】
これにより、計画していた消費電力量Ｑ３に対し、実際の消費電力量Ｑ４が多かった場合には、使用許可電力量を満たせるように計画が見直されて、稼働台数の制限が強化されることになる。一方、実際の消費電力量Ｑ４が少なかった場合には、使用許可電力量内に納まるように計画が見直されて、稼働台数の制限が緩和されることになる。
【００９５】
なお、上記ステップＳ３１において、計画した消費電力量Ｑ３と実際の消費電力量Ｑ４との差を判定する際に用いる値は、ビル管理者が設定画面５０などを通じて任意に変更可能である。
【００９６】
また、本発明は上記各実施形態そのままに限定されるものではなく、実施段階ではその要旨を逸脱しない範囲で構成要素を変形して具体化できる。また、上記各実施形態に開示されている複数の構成要素の適宜な組み合わせにより、種々の形態を形成できる。例えば、実施形態に示される全構成要素から幾つかの構成要素を省略してもよい。さらに、異なる実施形態にわたる構成要素を適宜組み合わせてもよい。
【図面の簡単な説明】
【００９７】
【図１】図１は本発明の第１の実施形態に係るエレベータの群管理制御システムの構成を示すブロック図である。
【図２】図２は同実施形態における群管理制御装置に備えられた時間毎の平均待ち時間を管理するための第１のテーブルの構成を示す図である。
【図３】図３は同実施形態における群管理制御装置に備えられた時間毎の稼働台数を管理するための第２のテーブルの構成を示す図である。
【図４】図４は同実施形態における目標電量設定装置の画面構成の一例を示す図である。
【図５】図５は同実施形態における群管理制御装置の稼働台数制御部による稼働台数の計画処理を示すフローチャートである。
【図６】図６は同実施形態における各階の乗場に設置された稼働台数表示装置の表示例を示す図である。
【図７】図７は同実施形態における各階の乗場に設置された稼働台数表示装置の別の表示例を示す図である。
【図８】図８は同実施形態における目標電量設定装置１１の設定画面の構成を示す図である。
【図９】図９は本発明の第２の実施形態における群管理制御装置の稼働台数制御部による稼働台数の計画処理を示すフローチャートである。
【図１０】図１０は本発明の第３の実施形態における群管理制御装置の稼働台数制御部の処理動作を示すフローチャートである。
【符号の説明】
【００９８】
１１…目標電量設定装置、１２…群管理制御装置、１３…消費電量計測装置、１４ａ，１４ｂ，１４ｃ…単体制御装置、１５ａ，１５ｂ，１５ｃ…乗りかご、１６ａ，１６ｂ…乗場呼び釦、１７ａ，１７ｂ…稼働台数表示装置、２１…消費電量統計部、２２…テーブル記憶部、２２ａ…第１のテーブル、２２ｂ…第２のテーブル、２３…稼働台数制御部、２４…群管理制御部、２５ａ，２５ｂ，２５ｃ…かご制御部、５０…設定画面、５１…設定項目、５２…表示項目、５３…確認項目。
【図１】
2010070380.tif 000003
【図２】
2010070380.tif 000004
【図３】
2010070380.tif 000005
【図４】
2010070380.tif 000006
【図５】
2010070380.tif 000007
【図６】
2010070380.tif 000008
【図７】
2010070380.tif 000009
【図８】
2010070380.tif 000010
【図９】
2010070380.tif 000011
【図１０】
2010070380.tif 000012